(57)【要約】本発明は人造雪製造装置に関するもので、基底板と蒸発配管の外部を満たす伝熱物質及び冷凍板を含んで構成した冷熱板部、モータ、減速機及びブレードとローラを含んで構成した粉砕部並びにポンプ、ロータリジョイント及びノズルを備えた分配配管を含んで構成した水供給系を含んで構成している。必要に応じて自動ドア装置を付加してもよい。蒸発温度が冷熱板に直接伝達される構造となるように、蒸発配管と冷凍板間に伝熱物質を注入し、所望の形状の広面積の冷熱板が可能となる。切削した雪からの摩擦熱を減じ、冷凍板表面に生成した氷を効率的に切削できるように、ブレードを２回傾斜させている。
2005539195.tif 000002
【特許請求の範囲】
【請求項１】
保温材を装着した基底板、前記保温材下部の蒸発配管の外部を満たしている伝熱物質及び前記伝熱物質下部に装着した冷凍板を有する冷熱板部；モータ、前記モータの回転力を伝達する減速シャフト下端に連結したブレード及び前記ブレードを案内するように前記冷凍板上部に配置したローラを有する粉砕部並びに水供給配管に設置されたメインバルブ及びポンプ、前記水供給配管に連通したロータリジョイント及びノズルを備えた分配配管を有する水供給部を含んで構成し、前記ブレードと分配配管が連結ロッドにより連結していることを特徴とする人造雪製造装置。
【請求項２】
前記連結ロッドにより連結したブレードと分配配管の間に形成する角度は４０〜４５°であることを特徴とする請求項１記載の人造雪製造装置。
【請求項３】
前記ノズルはノズルロッドに装着され、前記ノズルロッドと分配配管の間に形成する角度は４５°であることを特徴とする請求項１記載の人造雪製造装置。
【請求項４】
前記保温材はウレタンフォーム材質であることを特徴とする請求項１記載の人造雪製造装置。
【請求項５】
前記伝熱物質はグリース、シリコン又はエポキシであることを特徴とする請求項１記載の人造雪製造装置。
【請求項６】
前記ブレードは２点において傾斜していることを特徴とする請求項１記載の人造雪製造装置。
【請求項７】
前記ブレードは水平方向に１ｍｍ伸張し、垂直方向に対し６０°傾斜し、それに接して水平方向に４ｍｍ伸張し、垂直方向に対し３０°傾斜していることを特徴とする請求項６記載の人造雪製造装置。
【請求項８】
前記ブレードは全体表面にテフロン(登録商標)を被覆していることを特徴とする請求項６記載の人造雪製造装置。
【請求項９】
更に、前記人造雪製造装置は自動ドアを含んで構成し、該自動ドアにはシートの一端に固定したバーがワイヤを通してフレームの両側に固定、締結されたロールシャフト及びシャフトと連動し、ガイド部を通じて移動し、上記ロールシャフトはモータ軸と結合して連動し、且つ上記シャフトはその両端に締結された弾性部材と結合して連動するようになっており、カップリング部材を通して前記自動ドアを前記冷熱板部の底面に固定していることを特徴とする請求項１ないし請求項８のいずれか１項記載の人造雪製造装置。
【発明の詳細な説明】
【技術分野】
【０００１】
本発明は人造雪製造装置に関するもので、より詳細には基底板と蒸発配管の外部を満たしている伝熱物質及び冷凍板を有する冷熱板部、モータ、減速機、ブレード及びローラを有する粉砕部並びにポンプ、ロータリジョイント及びノズルを装着した配管を有する給水部を包含して構成される。必要に応じて自動ドア装置を付加して構成する。蒸発配管と冷凍板間に伝熱物質を注入して、蒸発温度が冷熱板に直接伝達されるようにしている。その結果、広い面を有する冷熱板及び所望の形状を容易に製作することができるようになる。ブレードを２回傾斜させて形成することにより摩擦力の減少、冷凍板表面に凍った氷をより効率的に切削可能とした。
【背景技術】
【０００２】
本出願人が出願し、登録を受けた特許文献１に開示の 「人造雪製造装置」は図１、２に示す様に、ドラム部１５０は本体１５２、流体供給部１５６、送風ファン１６２及びマニホールド１７０を含んでいる。本体１５２は中空の円筒形状を有し、前面は径方向に狭められ伸長している。本体の両側には上部支持部１３６に装着される回転軸１５４が突出している。上部支持部１３６より伸長した角度調節部材１４９の伸長部が本体に固定され、本体１５２の下部に流体供給部１５６を配置している。流体供給部１５６の一端には多数のバルブにより制御され、マニホールド１７０と連結する多数の連結管１５８を配置し、他端には外部から水を供給する供給管１６０を配置している。本体１５２の背面内側には送風ファン１６２を配置し、本体１５２の背面上には送風ファン１６２を保護する安全網１６４を結合し、本体１５２の前面にはマニホールド１７０を結合している。ドラムを使用して氷核を製造する場合、ドラム内部の断面積が広いので冷凍効率が下がる。円形のドラムの製作が難しく、ドラムを一体に形成しない場合、漏水問題が有る。ドラムを一体に形成する場合、製造原価が増加する。
【０００３】
板形の冷熱板を使用する場合、蒸発配管に薄い鋼板を取り付けて使用するので蒸発配管と鋼板間に空気層を形成する。この構成は蒸発温度がそのまま冷熱板まで伝達されず冷凍効率が下がるという短所があった。
【０００４】
更に、従来の氷を切削するブレードは垂直方向に対し１点においてのみ傾斜するように形成されていたので、自然雪に似せた人造雪を生成するように氷塊を粉砕することが困難であった。
【特許文献１】韓国実用新案登録第２０−０２１８４９２号
【発明の開示】
【発明が解決しようとする課題】
【０００５】
本発明の第一の目的はドラム型冷熱板よりも板型冷熱板を用いる人造雪製造装置を提供するものである。
【０００６】
本発明の第二の目的は間接冷熱方式よりも直接冷熱方式の冷熱板を用いる人造雪製造装置を提供するものである。
【０００７】
本発明の第三の目的は自然雪に似せた人造雪を生成するために氷塊を粉砕するブレードを具備した人造雪製造装置を提供するものである。
【０００８】
本発明の第四の目的は水供給配管が外部に露出されずに冷熱板に水を供給する人造雪製造装置を提供するものである。
【０００９】
本発明の第五の目的は作動時には冷熱板を開放し、非作動時には冷熱板を閉鎖して美観を良好にする自動ドア装置を付加的に有する人造雪製造装置を提供するものである。
【課題を解決するための手段】
【００１０】
上記の目的を達成する為に本発明は保温部材１２を装着した基底板１１、保温部材１２下部の蒸発配管１４の外部を満たしている伝熱物質１３、伝熱物質１３下部に装着した冷凍板１５を有する冷熱板部１０；モータ２１、モータの回転力を伝達する減速シャフト２２ａ下端に連結したブレード２３、冷凍板１５上部においてブレード２３を案内するローラ２４を包含する粉砕部２０並びにメインバルブ３１及び水供給配管３０ａに取り付けたポンプ３１ａ、水供給配管３０ａに連通しているロータリジョイント３２、ノズルが装着された分配配管を包含する水供給部３０を含んで人造雪製造装置を構成しており、ブレード２３及び分配配管３３は連結ロッド２７により連結されている。
【００１１】
連結ロッド２７により連結されたブレード２３及び分配配管３３の間の角度は４０〜４５°である。
【００１２】
ノズル３４を装着しているノズルロッド３４ａは分配配管３３の垂直方向に対して４５°の角度を形成している。
【００１３】
冷熱板部１０の保温材１２はウレタンフォーム材質である。
【００１４】
伝熱物質１３はグリース、シリコン又はエポキシである。
【００１５】
ブレード２３は２箇所で傾斜している。
【００１６】
ブレード２３は垂直方向に対し６０°傾斜し水平方向に１ｍｍ伸長しており、連続的に垂直方向に対し３０°傾斜しながら水平方向に４ｍｍ伸長している。
【００１７】
ブレード２３は全体表面にテフロン(登録商標)を被覆処理している。
【００１８】
シート４７の一端を固定しているバー４６はワイヤを通じてフレームの両側に固定、締結されたロールシャフト４２及びシャフト４３と連動してガイド部を通じて移動するようになっている。ロールシャフト４２はモータの軸４１と結合、連動し、シャフト４３はその両端に締結された弾性部材と結合して連動するようになっている。自動ドア装置を冷熱板部１０の底面に締結具を介して固定している。
【発明の効果】
【００１９】
本発明は下記の利点を有する。
【００２０】
第一に、冷熱板を板型に製作することで、ドラム形の冷熱板を使用する場合に比し、冷熱板の両面に付着するブレードにより破砕した氷の量が増す。人造雪を製造する面積が広くなり、製造原価と及び装置の体積を減少させることができる。
【００２１】
第二に、蒸発配管と冷凍板間に伝熱物質を満たしているので、蒸発温度が冷凍板に直接的に伝達され、大きな冷凍効果を有する冷熱板を得ることができる。
【００２２】
第三に、ブレードは２点において傾斜しているので、切削した雪から発生する摩擦熱を減少させ且つ結露を防いでおり、自然雪に似せた人造雪を製造することができる。ブレードは全体表面にテフロン(登録商標)を被覆処理し雪の付着及び腐蝕を防止することができる。
【００２３】
第四に、ロータリジョイントを利用して水供給配管に３６０°回転する減速機シャフトを連結して、水供給配管が外部に露出することなく、構成が簡単になった。
【００２４】
第五に、自動ドア装置を付加的に設置することで本装置の非作動時には冷熱板部を閉鎖することができ、外観を良好にすることができるようにした。
【発明を実施するための最良の形態】
【００２５】
以下添付した図面に基いて本発明の構成を詳細に説明する。
【００２６】
本発明による人造雪製造装置は基底板１１、蒸発配管１４の外部を満たす伝熱物質１３及び冷凍板１５を有する冷熱板部１０；モータ２１、減速機２２、ブレード２３及びローラ２４を含んで構成した粉砕部２０並びにポンプ３１ａ、ロータリジョイント３２及びノズル３４を備えた分配配管３３を含んで構成する水供給部３０を含んでいる。必要に応じて冷熱板部１０の底面に自動ドア装置を付加的に包含して構成してもよい。
【００２７】
図3に示すように、人造雪製造装置は、保温材１２を装着した基底板１１、上記保温材１２下部の蒸発配管１４の外部を満たしている伝熱物質１３及び伝熱物質１３下部に装着した冷凍板１５を有する冷熱板部１０；
モータ２１、モータの回転を伝達する減速シャフト２２ａ、モータの回転力を減速させる減速機２２、減速シャフト２２ａ下端に連結したモータの回転力を伝達するブレード２３及びブレード２３を案内する冷凍板１５上に備えたローラ２４を有する粉砕部２０；及び
水供給配管３０ａ、水供給配管３０ａに設置したポンプ３１ａ、水供給配管３０ａに連通するロータリジョイント３２及びノズル３４を装着した分配配管３３を有する水供給部３０を包含して構成される。ブレード２３と分配配管３３は連結ロッド２７により連結している。
【００２８】
ノズル３４を装着しているノズルロッド３４ａは分配配管３３との間に４５°の角度を形成している。冷熱板部１０の保温材１２はウレタンフォーム材質であり、伝熱物質１３はグリース、シリコン又はエポキシである。
【００２９】
蒸発配管１４はスパイラル形であり、蒸発配管１４に流れる冷媒は、Ｒ−２２、Ｒ−４０４、Ｒ−１２、Ｒ−１１及びＲ−１１４を含むフレオン(登録商標)系の冷媒かあるいは液化空気、液化窒素が望ましい。
【００３０】
ブレード２３はカップリング部材２８により減速シャフト２２ａにねじ結合し、且つ連結板２３ｂに形成した連結孔２３ａにねじ結合している。
【００３１】
図４は冷熱板の底面図で、分配管３５より両分配配管３３に水を分配し、分配配管３３に装着したノズル３４を通して冷凍板１５表面に水を噴射する。冷凍板１５表面に形成した氷を切削するブレード２３は連結ロッド２７により分配配管３３と連結している。
【００３２】
図５は冷凍板の表面に形成した氷を切削するブレードを示す斜視図であり、ブレード２３は２箇所において傾斜している。ブレード２３は垂直方向に対し６０°傾斜し水平方向に１ｍｍ伸長し、連続的に垂直方向に対し３０°傾斜し水平方向に４ｍｍ伸長している。ブレードの全体表面にテフロン(登録商標)を被覆処理し、破砕工程により生成した人造雪が付着せず、且つ腐蝕を防止している。
【００３３】
図６は冷熱板部の底面に設置する自動ドア装置を示す正面図である。シート４７の一端を固定したバー４６はワイヤ４４、４４ａを通してフレームの両側に固定れたロールシャフト４２及びシャフト４３と連動し、ガイド部４５、４５ａを通して移動する。ロールシャフト４２はモータ軸４１と結合して連動し、シャフト４３はその両端の弾性部材４８、４８ａと結合して連動する。弾性部材はスパイラルスプリングが望ましい。自動ドア装置は底面にねじ又はブラケットにより冷熱板部に固定されている。
【００３４】
本発明による装置は以下の様に動作する。
【００３５】
メインバルブ３１を開放すると水供給配管３０ａを通して流入した水はポンプ３１ａにより、３ｋｇ／ｃｍ２に加圧される。レギュレータ３１ｂを通過する際に１．５ｋｇ／ｃｍ２に減圧される（水圧が１．５ｋｇ／ｃｍ２以上であれば加圧ポンプは不要)。次いで、３６０°回転する減速シャフト２２ａはロータリジョイント３２を通して水供給配管３０ａに連通して水を供給するので水供給配管３０ａは外部に露出しない。分配管３５で両分配配管３３に水を分配し、分配配管３３上端に装着したノズル３４を通して蒸発配管１４の外部を満たしている伝熱物質１３下部に取付けた冷凍板１５へと噴射される。ノズル３４を装着したノズルロッド３４ａは分配配管３３に対して垂直方向に４５°傾斜しており、冷凍板１５がノズルから噴射される水粒子を跳ね返さないようになっている。
【００３６】
蒸発配管1４と冷凍板１５間に注入した伝熱物質１３を伴った冷凍板１５は蒸発温度が直接冷凍板１５に伝達するようになっているので、急速な冷凍効果を得ることができる。蒸発配管１４に流す冷媒はＲ−２２、Ｒ−４０４、Ｒ−１２、Ｒ−１１、Ｒ−１１４を含むフレオン(登録商標)系冷媒かあるいは液化空気または液化窒素であり、最大の冷却効果を達成できる。冷媒はコンプレッサ及び凝縮機（いずれも不図示)を含んで構成する凝縮系の冷媒配管（不図示）を流れ、スロットルバルブ（不図示）により膨脹する。次いで、冷媒は熱板部１０の蒸発配管１４へと流れ、冷凍板１５に噴射した水の温度を奪って水を冷却する。
【００３７】
モータ２１が作動して減速シャフト２２ａを回転させ、ブレード２３と連結したローラ２４が回転し、冷凍板１５上部へとブレード２３を導き、冷凍板１５表面に形成した氷を切削する。ローラ２４はローラ連結棒２５及び連結板２３ｂに結合しているローラ固定板２６を包んで構成している。
【００３８】
ブレードは連結ロッド２７を通じて分配配管３３に連結し且つ４０〜４５°の角度で交差している。このようにして、ノズル３４を通じて噴射された水を冷凍板１５表面で冷凍させ、ブレード２３が上記冷凍板１５表面に形成した氷を切削する。
【００３９】
減速機２２は冷熱板部１０の大きさに応じて、モータ２１の回転数を調整する。ブレード２３は垂直方向に対し６０°傾斜した第一の傾斜面２３ｃ及び垂直方向に対し３０°傾斜した第二の傾斜面２３ｄを有している。従って、第一の傾斜面で切削された氷塊は第二の傾斜面に沿って滑るので、切削によって生成した雪から発生する摩擦熱が減少し、氷塊の表面における結露を防いでいる。その結果、自然雪に近い人造雪を製造することができる。ブレード２３の全体表面にテフロン(登録商標)を被覆処理し、ブレードへの雪の付着及びブレードの腐蝕を防止している。
【００４０】
モータ軸４１に結合したロールシャフト４２が回転してワイヤ４４、４４ａを巻き上げると、ワイヤ４４、４４ａに結合したシート４７動くことにより、人造雪製造装置に付加的に設置する自動ドア装置は冷熱板部１０を閉鎖する。自動ドア装置は開放時にはシャフト４３の両端に締結された弾性部材４８、４８ａの弾性力によりシャフト４３が回転して上記ワイヤ４４、４４ａを巻き上げると、シート４７が動くことにより、冷熱板部１０を開放する。本発明の装置が動作中は自動ドアを開放し、非動作時には閉鎖して美観を良好にすることができる。自動ドア装置は開放位置と閉鎖位置を認識する為にリミットスイッチ又はマイクロスイッチ等のセンサ（不図示）を付加してもよい。
【図面の簡単な説明】
【００４１】
【図１】従来の人造雪製造装置を図示した図
【図２】従来の人造雪製造装置を図示した図
【図３】本発明による人造雪製造装置の断面図
【図４】本発明による冷熱板の底面図
【図５】本発明によるブレードの斜視図
【図６】本発明による自動ドア装置の正面図
【符号の説明】
【００４２】
１０    冷熱板部
１１    基底板
１２    保温材
１３    伝熱物質
１４    蒸発配管
１５    冷凍板
２０    粉砕部
２１    モータ
２２    減速機
２２ａ  減速シャフト
２３    ブレード
２３ａ  連結孔
２３ｂ  連結板
２３ｃ  第一傾斜面
２３ｄ  第二傾斜面
２４    ローラ
２５    ローラ連結棒
２６    ローラ固定板
２７    連結ロッド
２８    カップリング部材
３０    水供給部
３０ａ  水供給配管
３１    メインバルブ
３１ａ  ポンプ
３１ｂ  レギュレータ
３２    ロータリジョイント
３３    分配配管
３４    ノズル
３４ａ  ノズルロッド
３５    分配管
４１    モータ軸
４２    ロールシャフト
４３    シャフト
４４、４４ａ  ワイヤ
４５、４５ａ  ガイド部
４６    バー
４７    シート
４８、４８ａ  弾性部材
【図１】
2005539195.tif 000003
【図２】
2005539195.tif 000004
【図３】
2005539195.tif 000005
【図４】
2005539195.tif 000006
【図５】
2005539195.tif 000007
【図６】
2005539195.tif 000008
【国際調査報告】
2005539195.tif 000009
2005539195.tif 000010